(57)【要約】      （修正有）【課題】鉄筋コンクリート造の建築物において、スラブの配筋に際して使用するスペーサーは、縦横それぞれの方向に概ね１ｍのピッチで結束線で締結された後の縦筋と横筋の交差部に設置される。交差部を結束線で締結することなく同等の機能を有するスペーサーが提供されれば、作業労力の低減と作業時間の短縮による経済的効果は少なくない。【解決手段】単体にして上端筋と下端筋の両方を受けることができる所謂上下筋スペーサーであって、弾性効果のある鉄筋銜部を有し、該銜部は薄鋼板の持つ弾性によりスラブの縦筋と横筋の交差部を結束線を使用することなく堅固に締結することができる。極めて単純な形状とすることで該上下筋スペーサーの重量は、従来より概ね６０％に低減された。【選択図】図１
2010261287.tif 000002
【特許請求の範囲】
【請求項１】
鉄筋コンクリート造の建築物のスラブの配筋に際して供する図１（ａ）のごとくのスペーサーであって同図符号４のごときの薄鋼板から成る鉄筋銜部を有し該銜部において結束線を使用することなくスラブの縦筋と横筋の交差部を固定たらしめることを特徴とするスペーサー。
【請求項２】
鉄筋コンクリート造の建築物のスラブの配筋に際して供する図１（ｂ）のごとくのスペーサーであって同図符号３ｂのごときの狭幅の薄鋼板から成る鉄筋銜部を有し該銜部において結束線を使用することなくスラブの縦筋と横筋の交差部を固定たらしめることを特徴とするスペーサー。
【発明の詳細な説明】
【技術分野】
【０００１】  本発明は、鉄筋コンクリート造の建築物における床のスペーサーに関する。該スペーサーは躯体コンクリート内に埋設される鉄筋を所定の位置、即ち鉄筋コンクリートの強度に最も寄与する位置に保持するための建築用金物であり、該建築物の施工上極めて重要な地位を占めている。本発明は、多種あるスペーサーのなかでも極めて付加価値が高いとされている鋼線製の上下筋スペーサー、即ち１個にして上端筋と下端筋の両方を受けることができるスペーサーに関する。
【背景技術】
【０００２】  従前、鉄筋コンクリート造の建築物の床の鉄筋に供せられるスペーサーは該鉄筋の交差部、即ち縦筋と横筋の交差部を結束線で固定した後、該交差部を若干持ち上げて設置してしている。要すればまず所定の間隔で床型枠上に置かれている下端筋の縦筋及び横筋の位置がずれない様にまず該交差部の要所々々を結束線で固定しておく必要があるのでスペーサーの設置はその後に行われるのであり、この手順は下端筋のみを受けるスペーサーにおいても又、上下筋スペーサーにおいても同じである。
【発明の開示】
【発明が解決しようとする課題】
【０００３】  上述のごとく床の鉄筋を構築する際にはまず下端筋用の縦筋と横筋を所定のピッチ（一般に１５０〜２００ｍｍ）で床型枠上に結束しない状態で配置し、その後該鉄筋の交差部の要所要所を縦方向、横方向とも概ね１ｍの間隔で結束線により締結固定して該箇所にスペーサーを設置する。
以上のようにしてスペーサーを設置する箇所の数は、結束を行う数すなわち縦筋と横筋のすべての交差部の数の概ね３〜４％である。建築物の規模にもよるが結束する該箇所は相当数に及ぶので、３〜４％とはいえ該結束作業をすることなく縦筋と横筋の交差部を固定たらしめるスペーサーを提供できれば、作業労力の低減と作業時間の短縮が成されその経済的効果は多大である。
【課題を解決するための手段】
【０００４】  本発明者は鋭意研究した結果、鉄筋コンクリート造の建築物の床の鉄筋の交差部、即ち下端筋用の縦筋と横筋の交差部を結束線を使用することなく固定たらしめるスペーサーを開発することに成功した。
加えて、開発された該スペーサーは上端筋をも受けることができる形状を有しており所謂上下筋スペーサーとしての機能をも備えている。又該スペーサーの脚部は、床用のスペーサーにおいては型枠解体後の後処理の観点から最も好ましいとされている樹脂製のキャップで防錆されている。又該スペーサーの最大の特徴は、これを縦筋と横筋の交差部に設置したとき縦筋ないしは横筋のどちらか一方を弾性的に挟み込む銜部を有し、作業中の該鉄筋の揺動に対して該鉄筋から外れることがないことである。【０００５】  以下、本発明を図に従い、詳しく説明する。
図１は本発明によるスペーサーのイメージ図であり、（ａ）は上述の鉄筋銜部に薄鋼板を使用した場合、又（ｂ）は同じく銜部に鋼線ないし狭幅の鋼製プレートを使用した場合である。
まず図１（ａ）において符号１はスペーサーの本体、符号２は後述図２の符号９の下端筋を受ける部分で該下端筋の断面と同じ形状の湾曲を成している。符号３ａは薄鋼板製で鉄筋銜部を持つプレートであり、ここで符号４は後述図２（ｃ）の符号１０の下端筋の銜部であり該プレート面から傾斜して立ち上がり、該下端筋の断面より若干小さい湾曲状を成しているが符号５の切り込みの効果による弾力性で該下端筋を絞るように銜えることができる。符号６は符号３ａを符号１に接合するためのスポット溶接箇所である。又符合７は防錆のための樹脂製キャップである。符号８は上端筋を受ける部分で該上端筋が転落しないように若干下方に湾曲している。
又、図１（ｂ）において符号３ｂは狭幅の薄鋼板から成る鉄筋銜部であり、これは後述する図２（ｄ）の符号１０の下端筋の断面と同じ形状の湾曲を成しているが、符号１０を挿入する部分は若干絞ぼられており、一旦挿入されれば外れることがないようになっている。
図２の（ｃ）及び（ｄ）は本発明による該スペーサーを鉄筋に設置したときのイメージ図である。ここで符号９は符号２の湾曲部に載る下端筋、符号１０は該スペーサーの鉄筋銜部に納まる下端筋、また符合１１は上端筋である。
図３（ｅ）は図２（ｃ）の側面図であり、本発明によるスペーサーの鉄筋保持の機構がここに示されている。即ち本図から明らかなように符号１のスペーサー本体には符号９、符号１０及び符号１１の鉄筋の重量を受けて符号６の樹脂製キャップ部を支点とする右回転方向のモーメントが生じるが、同時に符号３ａの鉄筋銜部によりその動きは阻止されるため全く同じ大きさの左回転方向モーメントが生じて均衡するので符号１のスペーサー本体は図のごときの極めて単純な形状にも拘らず転倒することなく鉄筋を所定の高さに保持できるのである。また符号１２は型枠のコンパネである。
図３（ｆ）は図２（ｄ）の背面図であるが、鉄筋保持の機構は上述の場合と全く同じである。
【発明の効果】
【０００６】  上述のごとくの本発明による上下筋スペーサーを使用すれば従来のように縦筋と横筋の交差部を結束線で締結することなく該スペーサーを設置でき、作業労力と作業時間の低減による多大な経済的効果が得られる。
また、従来の上下筋スペーサーに比較して形状が極めて単純であるため該スペーサーに使用している鋼線の重量は、同仕様の比較において約４０％節約される。
【実施例】
【０００７】  厚さ１８０ｍｍ、縦筋及び横筋ともにＤ１３、同ピッチ１５０ｍｍのダブル配筋のスラブを施工する鉄筋コンクリート造の建築現場において図１の（ａ）、（ｂ）２種類のスペーサーを使用した。
スペーサーを試用した該スラブの平面積は４８ｍ２であり、ここに概ね縦横１ｍのピッチで上述の（ａ）、（ｂ）２種類のスペーサーをそれぞれ２４個づつ設置し、性能試験を行った。
その結果、スペーサーの設置に際しても、またその後の配筋作業中にも何ら支障はなかった。
【図面の簡単な説明】
【０００８】
【図１】  スペーサーのイメージ図
【図２】  スペーサーを鉄筋に設置したときのイメージ図
【図３】  （ｅ）は図２（ｃ）の側面図、（ｆ）は図２（ｄ）の背面図
【符号の説明】
【０００９】      １，スペーサー本体
２，下端筋受部
３ａ，鉄筋銜部のプレート
３ｂ，幅狭の薄鋼板から成る鉄筋銜部
４，鉄筋銜部
５，切り込み
６，スポット溶接部
７，樹脂製キャップ
８，上端筋受部
９，下端筋
１０，下端筋
１１，上端筋
１２，コンパネ
【図１】
2010261287.tif 000003
【図２】
2010261287.tif 000004
2010261287.tif 000005
【図３】
2010261287.tif 000006